(57)【特許請求の範囲】
【請求項１】
光ディスクを再生する光ディスク再生装置であって、
ピックアップの受光部の汚れ具合いを検知して、その検知結果に基づいて信号増幅量を調整する光増幅量調整手段と、
上記光増幅量調整手段における調整レベルが所定レベル以上か否かを判別する調整レベル判別手段と、
上記調整レベルが上記所定レベル以上の場合に、上記光増幅量調整手段が上記光ディスクの径方向の複数箇所において調整した複数の信号増幅量を比較し、上記複数の信号増幅量の差異が所定の設定値より小さい場合に上記ピックアップのクリーニング処理を行うことを決定するクリーニング要否判別手段と、
上記クリーニング要否判別手段によりクリーニングが必要と判断された場合に上記ピックアップのクリーニング処理を行うクリーニング処理手段と、
を備えたことを特徴とする光ディスク再生装置。
【請求項２】
前記光ディスクを多数格納したチェンジャをさらに備え、前記クリーニング処理手段は、上記チェンジャからクリーニングに用いるクリーニングディスクを取り出し、前記ピックアップのクリーニング処理を行うことを特徴とする請求項１記載の光ディスク再生装置。
【請求項３】
前記クリーニングディスクが前記チェンジャに有るか否かを判別するクリーニングディスク判別手段と、前記クリーニングディスクが無い場合に、前記クリーニングディスクの挿入を要求するディスク挿入要求手段と、をさらに備えたことを特徴とする請求項２記載の光ディスク再生装置。
【請求項４】
前記調整レベル判別手段は、前記クリーニング処理の後に調整レベルを判別し、その判別の後、前記所定レベル以上の場合に再生不良であることを通知する再生不良通知手段を、さらに備えたことを特徴とする請求項１から３のいずれか１項記載の光ディスク再生装置。
【請求項５】
前記複数の信号増幅量の差異が大きい場合に、前記光ディスクが汚れている旨を表示することを特徴とする請求項１から４のいずれか１項に記載の光ディスク再生装置。
【発明の詳細な説明】
【０００１】
【発明の属する技術分野】
本発明は、デジタル・ビデオ・ディスクあるいはコンパクト・ディスク等の光ディスクを再生する光ディスク再生装置に関し、特に、ピックアップの受光部の汚れをクリーニングする機能を備えた光ディスク再生装置に関する。
【０００２】
【従来の技術】
従来から、デジタル・ビデオ・ディスク（以後、「ＤＶＤ」という）あるいはコンパクト・ディスク（以後、「ＣＤ」という）等の光ディスクを再生する光ディスク再生装置には、光ディスク自体あるいはピックアップの汚れに応じて、光ディスクからの受光量を調整する機構が設けられている。この調整機構によって、ピックアップ等が多少汚れていても、ほぼ一定の信号出力が確保されている。したがって、再生する音声あるいは画像の品質も、ピックアップの汚れに対して大きく変動しない。
【０００３】
しかし、ピックアップの汚れがひどくなると、光ディスクの再生が困難あるいは不可能な状態に陥る。かかる状況を解消するため、たとえば、特開平８−２２６３２号公報に開示される技術が知られている。同公報に開示される技術は、ピックアップの受光部の受光量の低下をカウントし、所定カウント数に達すると、掃除をすべき旨の警告を発するという技術である。
【０００４】
【発明が解決しようとする課題】
しかし、上述の従来技術には、解決すべき課題がある。その課題とは、ピックアップの汚れがひどくなったときに警告しか行われないので、光ディスクの再生には人手を介した別の処理が必要となることである。その光ディスク再生装置を熟知している者が使用している限りでは、掃除をすべき警告だけで十分対応できる。
【０００５】
しかし、使用者を問わず、新型の光ディスク再生装置を使用するという状況あるいは光ディスク再生装置そのものに疎い者が使用する状況も、十分にあり得る。かかる状況下において、光ディスク再生装置が発する警告に対してどのように対処すれば、正常な再生動作に復帰できるかを把握することは、容易ではない。結局、正常な再生動作に回復する術を講ずることなく、警告の用をなさないことが多い。
【０００６】
本発明は、上記課題に鑑みてなされたものであり、ピックアップの汚れに対して、使用者および機種を問わず、再生動作を確実に復帰させることができる光ディスク再生装置を提供することを目的とする。
【０００７】
【課題を解決するための手段】
上記目的を達成すべく、請求項１記載の光ディスク再生装置は、ピックアップの受光部の汚れ具合いを検知して、その検知結果に基づいて信号増幅量を調整する光増幅量調整手段と、光増幅量調整手段における調整レベルが所定レベル以上か否かを判別する調整レベル判別手段と、調整レベルが所定レベル以上の場合に、光増幅量調整手段が光ディスクの径方向の複数箇所において調整した複数の信号増幅量を比較し、複数の信号増幅量の差異が所定の設定値より小さい場合にピックアップのクリーニング処理を行うことを決定するクリーニング要否判別手段と、クリーニング要否判別手段によりクリーニングが必要と判断された場合にピックアップのクリーニング処理を行うクリーニング処理手段とを備えるようにしている。このため、汚れがあるレベルを超えて、信号増幅量が大きくなりすぎると、自動的にピックアップのクリーニング処理が行われる。加えて、光ディスク自体の汚れが原因か、それともピックアップの汚れが原因かを容易に判別することができる。
【０００８】
また、請求項２記載の発明は、請求項１記載の光ディスク再生装置において、光ディスクを多数格納したチェンジャをさらに備え、クリーニング処理手段は、チェンジャからクリーニングに用いるクリーニングディスクを取り出し、ピックアップのクリーニング処理を行うようにしている。このため、チェンジャを擁する光ディスク再生装置では、予め挿入してあるクリーニングディスクを利用して、クリーニング処理が行われることになる。
【０００９】
また、請求項３記載の発明は、請求項２記載の光ディスク再生装置において、クリーニングディスクがチェンジャに有るか否かを判別するクリーニングディスク判別手段と、クリーニングディスクが無い場合に、クリーニングディスクの挿入を要求するディスク挿入要求手段とをさらに備えるようにしている。このため、使用者は、チェンジャ内にクリーニングディスクが無いために、クリーニング処理ができないことを知ることができる。
【００１０】
また、請求項４記載の発明は、請求項１から３のいずれか１項記載の光ディスク再生装置において、調整レベル判別手段は、クリーニング処理の後に調整レベルを判別し、その判別の後、所定レベル以上の場合に再生不良であることを通知する再生不良通知手段を、さらに備えるようにしている。このため、クリーニング処理を行ったにもかかわらず、ピックアップの汚れが落ちない場合に、使用者に対して、その旨を知らせると共に、オーバーホールあるいは部品交換等の他の処置の必要性を認知させることができる。
【００１１】
また、請求項５記載の発明は、請求項１から４のいずれか１項記載の光ディスク再生装置において、複数の信号増幅量の差異が大きい場合に、光ディスクが汚れている旨を表示するようにしている。このため、かかる表示により、ゲインの出力上昇が光ディスク自体の汚れによるものであることを容易に把握できる。
【００１２】
【発明の詳細な説明】
以下、本発明に係る光ディスク再生装置の実施の形態について、図面に基づいて説明する。
【００１３】
図１は、光ディスク再生装置の一形態であるＤＶＤ再生装置の、主に制御ユニットの各構成を示す図である。ＤＶＤ再生装置は、ディスクホルダ１と、ピックアップ２と、ドライバ３と、サーボ制御４と、光信号検出回路・信号増幅器（以後、「ＲＦアンプ」という）５と、信号処理器６と、システムコントロールバス７と、読み取り専用メモリ（以後、「ＲＯＭ」という）８と、読み書き可能なメモリ（以後、「ＲＡＭ」という）９と、中央演算処理部（以後、「ＣＰＵ」という）１０と、信号復調器（以後、「ＭＰＥＧデコーダ」という）１１と、映像信号変調器（以後、「ＶＥＮＣ」という）１２と、Ｄ／Ａコンバータ（以後、「ＡＤＡＣ」という）１３とから主に構成されている。
【００１４】
ディスクホルダ１は、ＤＶＤを挿脱可能な部分である。ピックアップ２は、図示しないが、光をＤＶＤに向けて発する発光部と受光部を有する。ドライバ３は、ＤＶＤ用のモータを駆動するための電力を増幅する部分である。サーボ制御４は、フォーカス、トラッキング、ＣＬＶサーボを制御する部分である。ＲＦアンプ５は、ピックアップ２の受光部から読み取った信号を増幅する部分である。ここで、ＲＦアンプ５は、光増幅量調整手段として機能する。すなわち、ＣＰＵ１０の制御の下で、ピックアップ２からの受光量のレベルに合わせて、信号を増幅する。
【００１５】
信号処理器６は、エラーの訂正、サーボ用の補正データを作り出し、データ再編の信号処理を行う部分である。システムコントロールバス７は、ＣＰＵ１０等の他の構成部との信号のやりとりを行う信号路である。ＲＯＭ８は、ＣＰＵ１０の制御データを記憶するメモリである。ＲＡＭ９は、ＣＰＵ１０の制御用の一時待避あるいは演算処理を行うためのメモリである。
【００１６】
ＣＰＵ１０は、図１の制御ユニットを総括的に制御する部分である。ＣＰＵ１０は、調整レベル判別手段としての機能を有し、ＲＦアンプ５の信号増幅量が所定レベル以上か否かを判別する。また、ＣＰＵ１０は、クリーニング処理手段としての機能も有する。チェンジャからクリーニングディスクを取り出すように指示を出す等のクリーニング処理の制御を司る。
【００１７】
なお、クリーニングディスクは、乾式と湿式の２種類がある。湿式のクリーニングディスクを用いる場合には、クリーニング処理の効果を処理毎に記憶させ、効果が低下したときには、クリーニング液の補充等を喚起することもできる。さらに、ＣＰＵ１０は、クリーニングディスク判別手段と、ディスク挿入要求手段と、再生不良通知手段と、クリーニング要否判別手段とを兼ね備えている。
【００１８】
ＭＰＥＧデコーダ１１は、圧縮された映像や圧縮された音声のデジタルデータを分離し、伸張して出力する部分である。ここでは、字幕表示およびオンスクリーン表示も行う。ＶＥＮＣ１２は、映像のデジタル信号を一般家庭のテレビフォーマット（ＮＴＳＣ等）に変換する部分である。ＡＤＡＣ１３は、音声デジタルデータをアナログ信号に変換する部分である。
【００１９】
図２は、ピックアップ２の汚れ度合いと、信号増幅度との関係を示す図である。信号増幅度は、図中の▲１▼〜▲４▼の４段階に分けられる。一番信号増幅度の小さい▲１▼の領域では、ピックアップ２の汚れが最も少なく、再生可能な状態をである。▲１▼から▲４▼へと順に、信号増幅度が大きくなると、それだけピックアップ２の汚れ度合いが大きいことになる。したがって、再生状態もだんだん悪くなる。具体的には、▲３▼はクリーニングを必要とする状態である。そして、▲４▼になると、汚れすぎてクリーニングしても回復できない状態または回復の可能性が低い状態である。ＣＰＵ１０は、▲３▼のレベルに達したか否かで、クリーニング処理の要否を判断している。なお、４段階に限定されず、２または３段階、あるいは５段階以上としても良い。
【００２０】
図３は、本発明に係る光ディスク再生装置の実施の形態において、ピックアップ２のクリーニング処理を示すフローチャートである。
【００２１】
光ディスクが回転して再生が開始すると、まず、ＲＦアンプ５は、光ディスクの径方向の複数箇所における、光信号検出回路のゲインを調整する（ステップＳ１０１）。そして、ＣＰＵ１０は、ゲインが汚れ検出レベル以下かどうかを判定する（ステップＳ１０２）。この判定の結果、検出レベル以下であれば、通常の再生を行う（ステップＳ１０３）。もし、検出レベル以上ならば、次に、ＣＰＵ１０は、光ディスクの径方向の複数点で調整したゲインの差異を調べ、差異が大きいかどうか判定する（ステップＳ１０４）。
【００２２】
ステップＳ１０４の判定は、たとえば、光ディスクの径方向の３カ所における各ゲインの内、最大のゲインと最小のゲインの差を算出する方法で行われても良い。あるいは、３つのゲインの平均値とその平均値と最も差のあるゲイン値との差から算出する方法で行われても良い。さらに、３カ所に限定されない。かかる複数箇所のゲイン調整の解析は、ゲインの出力上昇が、ＤＶＤ自体の汚れによるものか、それともピックアップ２の汚れによるものかを区別するために行うものである。
【００２３】
ステップＳ１０４で、複数のゲインの差が大きい場合には、ＣＰＵ１０は、ＤＶＤ自体が汚れている旨を表示する（ステップＳ１０５）。一方、複数のゲインの差が小さい場合には、ピックアップ２自体が汚れているものと判断される。続いて、ＣＰＵ１０は、クリーニングディスクが存在するかどうか判定する（ステップＳ１０６）。具体的には、ＣＰＵ１０は、図示されないチェンジャ内のマイコンからの情報を得て判断する。この結果、クリーニングディスクが無い場合には、使用者にクリーニングディスクの挿入を要求する（ステップＳ１０７）。この方法は、視覚的であるか聴覚的であるかを問わない。
【００２４】
一方、クリーニングディスクがある場合には、クリーニングディスクをディスクホルダ１に運ぶと共に、ディスクホルダ１から再生用のディスクを取り出し、クリーニングする（ステップＳ１０８）。そして、所定時間のクリーニングの後、ゲインが汚れ検出レベル以下かどうかが判定される（ステップＳ１０９）。この結果、汚れ検出レベル以下ならば、ステップＳ１０３に移行する。
【００２５】
一方、汚れ検出レベルを超えている場合には、所定回数のクリーニングを行ったか否かの確認が行われる（ステップＳ１１０）。そして、まだ、所定回数に達していない場合には、ステップＳ１０８に戻り、クリーニングを繰り返す。一方、既に所定回数のクリーニングを行っている場合には、ピックアップ２の汚れが落ちないため、再生不良であることを示す（ステップＳ１１１）。
【００２６】
ここで、湿式のクリーニングディスクを使用する場合において、クリーニングの回数を記憶しておくことにより、クリーニング液の追加を促す表示等を行わせることもできる。また、クリーニング効果によりピックアップの寿命も判断可能である。なお、再生不良であることを示す方法は、視覚的方法でも聴覚的方法でも良い。かかる一連の流れをもって、フローは終了する。
【００２７】
なお、上述の実施の形態に限定されず、本発明の要旨を逸脱しない範囲で、種々変更した実施の形態を採用することもできる。
【００２８】
たとえば、光ディスク再生装置は、ＤＶＤ再生装置のみならず、ＣＤプレーヤとしても良い。また、多数のディスクを格納するチェンジャを備えない再生装置の場合には、再生用ディスクとクリーニングディスクとを自動交換することはできない。この場合には、ピックアップあるいはディスクを洗浄する各部材を、ピックアップ周辺に設置しておく。これによって、クリーニングディスクを用いないクリーニング処理が可能である。
【００２９】
また、クリーニングディスクの有無を判別する方法として、ＣＰＵ１０が、チェンジャ内のマイコンからの通知を受ける以外に、ＣＰＵ１０がクリーニングディスクの決められた挿入箇所のセンサから信号を受ける方法でも良い。さらに、ディスクの径方向の複数箇所におけるゲイン調整は、図３のフローチャートのステップＳ１０１で行わずに、次のような手順で行っても良い。図３のフローチャートのステップＳ１０１では、光ディスク上の１点でのみゲイン調整をする。ただし、ステップＳ１０２でゲインが汚れ検出レベル以上の場合には、複数箇所におけるゲイン調整を行うステップを行う。それから、図３のステップＳ１０４につながるようにする。これによって、常に複数箇所でゲイン調整を行う手間を、軽減できる。
【００３０】
また、光ディスクの径方向の複数箇所においてゲイン調整を行う方法は、次のような応用につながる。ディスクの全周を一定間隔でスキャンし、ゲイン値を記憶しておく。これによって、ディスクの内周部、中央部、外周部のいずれに、どの程度の汚れが付着しているかがわかる。したがって、事前にこの状況を使用者に提示することによって、再生中の音飛び等のトラブルを防止できる。
【００３１】
また、光増幅量調整手段、調整レベル判別手段、クリーニング処理手段、クリーニングディスク判別手段、ディスク挿入要求手段、再生不良通知手段、クリーニング要否判別手段の各手段を全く別個の構成部としても良い。さらに、これら各手段の動作を複数のステップとして含むプログラムとすることもできる。このプログラムを格納した情報記録媒体を光ディスク再生装置の所定場所に挿入して、格納したプログラムを実行させることによって、上述の実施の形態と同じ動作を実現することができる。
【００３２】
【発明の効果】
本発明によれば、ピックアップの汚れに対して、使用者および機種を問わず、再生動作を確実に復帰させることができる光ディスク再生装置を提供することができる。
【図面の簡単な説明】
【図１】本発明に係る光ディスク再生装置の実施の形態としてのＤＶＤ再生装置において、主にその制御ユニットの各構成を示す図である。
【図２】図１のＤＶＤ再生装置において、ピックアップの汚れ度合いと、光増幅度との関係を示す図である。
【図３】図１のＤＶＤ再生装置において、ピックアップのクリーニング処理を示すフローチャートである。
【符号の説明】
４    ＲＦアンプ（光増幅量調整手段）
１０  ＣＰＵ（調整レベル判別手段、クリーニング処理手段、クリーニングディスク判別手段、ディスク挿入要求手段、再生不良通知手段、クリーニング要否判別手段を兼ねる）
【図１】
0003881818.tif 000002
【図２】
0003881818.tif 000003
【図３】
0003881818.tif 000004